(57)【要約】【課題】利便性を向上できる冷蔵庫を提供する。【解決手段】貯蔵室２内に配されて貯蔵物を載置する複数の載置棚１１、２１と、載置棚１１、２１上に設置して出し入れ自在の収納ケース３０とを備え、収納ケース３０の底面から下方に突出して左右方向に延びる突起部３１を前後にそれぞれ設けるとともに、収納ケース３０の引き出す際に前方に配された突起部３１に当接する段差部１５、２４を載置棚１１、２１の前部に設けた。【選択図】図４
2010223441.tif 000002
【特許請求の範囲】
【請求項１】
貯蔵室内に配されて貯蔵物を載置する複数の載置棚と、前記載置棚上に設置して出し入れ自在の樹脂から成る収納ケースとを備え、前記収納ケースの底面から下方に突出する突起部を前後にそれぞれ設けるとともに、前記収納ケースの引き出す際に前方に配された前記突起部に当接する段差部を前記載置棚の前部に設けたことを特徴とする冷蔵庫。
【請求項２】
少なくとも一部の前記載置棚がガラス板の周囲に樹脂製の外枠を配して形成されることを特徴とする請求項１に記載の冷蔵庫。
【請求項３】
少なくとも一部の前記載置棚が樹脂から成り、樹脂製の前記載置棚の上面に上方に突出して前後に延びる複数の凸部を左右方向に所定の間隔で設けるとともに、前記突起部の横幅を前記凸部の間隔よりも広くしたことを特徴とする請求項１または請求項２に記載の冷蔵庫。
【請求項４】
前記突起部の背面及び前記載置棚の前端の一方または両方を傾斜面にしたことを特徴とする請求項１〜請求項３のいずれかに記載の冷蔵庫。
【請求項５】
前記収納ケースの背面に緩衝材を設けたことを特徴とする請求項１〜請求項４のいずれかに記載の冷蔵庫。
【請求項６】
少なくとも一部の前記載置棚が上下方向の位置を可変に形成され、前記載置棚の上下の間隔を前記収納ケースの高さに略一致させることができることを特徴とする請求項１〜請求項５のいずれかに記載の冷蔵庫。
【請求項７】
前記載置棚を設置する設置部を前記貯蔵室の両側壁に設けるとともに、前記収納ケースの前面が上方に延びる延設部を有し、前記延設部が前記設置部に当接して前記収納ケースの後端位置が位置決めされることを特徴とする請求項１〜請求項６のいずれかに記載の冷蔵庫。
【発明の詳細な説明】
【技術分野】
【０００１】
本発明は、貯蔵室内に設けた載置棚上に配される収納ケースを有した冷蔵庫に関する。
【背景技術】
【０００２】
従来の冷蔵庫は特許文献１に開示されている。この冷蔵庫は貯蔵室内に複数の載置棚が設けられ、載置棚上には複数の収納ケースが配される。収納ケースを引き出して貯蔵物の収納及び取り出しを行うことができる。これにより、貯蔵物を整理して容易に取り出すことができる。
【先行技術文献】
【特許文献】
【０００３】
【特許文献１】特開平７−２３９１７９号公報（第２頁−第３頁、第５図）
【発明の概要】
【発明が解決しようとする課題】
【０００４】
しかしながら、上記従来の冷蔵庫によると、収納ケースの底面が載置棚と摺動して収納ケースの出し入れが行われる。このため、収納ケースの底面と載置棚との摺動摩擦が大きく、収納ケースの出し入れがしにくくなる。また、収納ケースの前部に手指等が引っ掛かった際に収納ケースが落下する場合がある。このため、冷蔵庫の利便性が悪い問題があった。
【０００５】
本発明は、利便性を向上できる冷蔵庫を提供することを目的とする。
【課題を解決するための手段】
【０００６】
上記目的を達成するために本発明は、貯蔵室内に配されて貯蔵物を載置する複数の載置棚と、前記載置棚上に設置して出し入れ自在の収納ケースとを備え、前記収納ケースの底面から下方に突出して左右方向に延びる突起部を前後にそれぞれ設けるとともに、前記収納ケースの引き出す際に前方に配された前記突起部に当接する段差部を前記載置棚の前部に設けたことを特徴としている。
【０００７】
この構成によると、貯蔵室内には複数の載置棚が上下に配され、載置棚上に収納ケースが配される。収納ケースの底面の前部及び後部には突起部が形成され、突起部と載置棚とが摺動して収納ケースが出し入れされる。また、載置棚の前部には段差部が設けられ、収納ケースを引き出すと前方の突起部が段差部に当接する。更に収納ケースを引き出すと突起部が段差部を乗り越えて収納ケースが取り出される。載置棚は貯蔵室内に固定されていてもよく、移動可能であってもよい。
【０００８】
また本発明は、上記構成の冷蔵庫において、少なくとも一部の前記載置棚がガラス板の周囲に樹脂製の外枠を配して形成されることを特徴としている。この構成によると、外枠内にガラス板が配され、外枠によって段差部が形成される。
【０００９】
また本発明は、上記構成の冷蔵庫において、少なくとも一部の前記載置棚が樹脂から成り、樹脂製の前記載置棚の上面に上方に突出して前後に延びる複数の凸部を左右方向に所定の間隔で設けるとともに、前記突起部の横幅を前記凸部の間隔よりも広くしたことを特徴としている。この構成によると、樹脂から成る載置棚上に設けた凸部と収納ケースの突起部とが摺動して収納ケースが出し入れされる。突起部の横幅は凸部の左右方向の間隔よりも広いため、突起部が確実に凸部上に配される。
【００１０】
また本発明は、上記構成の冷蔵庫において、前記突起部の背面及び前記載置棚の前端の一方または両方を傾斜面にしたことを特徴としている。この構成によると、収納ケースを収納する際に突起部の背面が載置棚の前端に当接し、一方または両方に設けた傾斜面を摺動して収納ケースが後方に導かれる。傾斜面は平面であってもよく、曲面であってもよい。
【００１１】
また本発明は、上記構成の冷蔵庫において、前記収納ケースの背面に緩衝材を設けたことを特徴としている。
【００１２】
また本発明は、上記構成の冷蔵庫において、少なくとも一部の前記載置棚が上下方向の位置を可変に形成され、前記載置棚の上下の間隔を前記収納ケースの高さに略一致させることができることを特徴としている。この構成によると、載置棚の上下の間隔を収納ケースの高さに略一致させると、上方の載置棚によって収納ケースを覆って収納ケース内が間接冷却される。
【００１３】
また本発明は、上記構成の冷蔵庫において、前記載置棚を設置する設置部を前記貯蔵室の両側壁に設けるとともに、前記収納ケースの前面が上方に延びる延設部を有し、前記延設部が前記設置部に当接して前記収納ケースの後端位置が位置決めされることを特徴としている。この構成によると、載置棚が貯蔵室の両側壁に設けた設置部間に橋架される。収納ケースは設置部の下方を前後に移動し、収納ケースの前面の延設部が設置部に当接して収納ケースの後方への移動が規制される。
【発明の効果】
【００１４】
本発明によると、収納ケースの底面から下方に突出する突起部を前後にそれぞれ設け、収納ケースの引き出す際に前方に配された突起部に当接する段差部を載置棚の前部に設けたので、収納ケースの底面と載置棚との摺動摩擦を小さくして収納ケースの出し入れを容易にすることができる。また、収納ケースの前部に手指等が引っ掛かった際に突起部が段差部に当接して収納ケースの落下が防止される。従って、冷蔵庫の利便性を向上することができる。
【図面の簡単な説明】
【００１５】
【図１】本発明の実施形態の冷蔵庫を示す正面図
【図２】図１のＡ−Ａ断面図
【図３】図１のＢ−Ｂ断面図
【図４】本発明の実施形態の冷蔵庫の中段の載置棚上に収納ケースを配した状態を示す側面断面図
【図５】本発明の実施形態の冷蔵庫の上段及び中段の載置棚を示す平面図
【図６】本発明の実施形態の冷蔵庫の収納ケースを示す側面断面図
【図７】本発明の実施形態の冷蔵庫の収納ケースを示す底面図
【図８】図７のＥ−Ｅ断面図
【図９】図６のＢ部詳細図
【図１０】図６のＣ部詳細図
【図１１】本発明の実施形態の冷蔵庫の下段の載置棚上に収納ケースを配した状態を示す側面断面図
【図１２】図１１の要部詳細図
【図１３】本発明の実施形態の冷蔵庫の下段の載置棚を示す平面図
【発明を実施するための形態】
【００１６】
以下に本発明の実施形態を図面を参照して説明する。図１は一実施形態の冷蔵庫の内部を示す正面図である。また、図２、図３は図１のＡ−Ａ断面図及びＢ−Ｂ断面図を示している。冷蔵庫１は貯蔵室２内に貯蔵物を載置する載置棚１１、２１を有している。載置棚１１は上下方向に複数設けられ、貯蔵室２の両側壁に上下に並設される設置部１０に設置される。載置棚１１は着脱自在で上下方向に移動可能になっている。載置棚２１は貯蔵室２の下部に設けた隔離壁３の天井壁から成り、貯蔵室３内に固定されている。
【００１７】
中段の載置棚１１上には貯蔵物を収納する２個の収納ケース３０が左右に並設される。収納ケース３０は出し入れ自在になっており、上段の載置棚１１上や下段の載置棚２１上にも配置することができる。詳細を後述するように、収納ケース３０は設置部１０により後端位置が位置決めされ、収納ケース３０の背面と貯蔵室３の背面板４との間には隙間が形成される。
【００１８】
図４は中段の載置棚１１上に配した収納ケース３０の側面断面図を示している。また、図５は載置棚１１の平面図を示している。載置棚１１は矩形のガラス板１２の周囲を樹脂成形品から成る外枠１３により支持して形成される。これにより、外枠１３とガラス板１２との境界には環状に段差部１５が形成される。載置棚１１の前端には金属製のカバー１４が取り付けられる。カバー１４の上面は前方が下がる傾斜面１４ａに形成されている。
【００１９】
収納ケース３０は樹脂成形品から成り、上面を開口した箱状に形成される。収納ケース３０の開口面３０ａは上方の設置部１０よりも下方を前後に移動する。収納ケース３０の前面は開口面３０ａよりも上方に延びる延設部３３が設けられ、延設部３３が設置部１０に当接して収納ケース３０の後端位置が位置決めされる。これにより、背面板４（図１参照）と収納ケース３０との衝突を回避し、背面板４の損傷を防止することができる。
【００２０】
収納ケース３０の後端には開口面３０ａから下方に延びるリブ３４が設けられる。リブ３４の下端は後方に突出して左右方向に延びる受け部３４ａが設けられる。リブ３４には受け部３４ａに沿ってウレタン等の緩衝材３５が貼着されている。これにより、載置棚１１上に一つの収納ケース３０を貯蔵室２の側壁から離れて設置した際に、収納ケース３０と背面板４との衝突による背面板４の損傷を防止することができる。
【００２１】
載置棚１１は高さ方向に移動可能であるため、上段と中段の載置棚１１の間隔は収納ケース３０の前面の高さと略一致させることができる。これにより、載置棚１１間に流入する冷気を減少させ、収納ケース３０内の貯蔵物を間接冷却することができる。従って、冷気が当たることによる貯蔵物の劣化を抑制することができる。
【００２２】
収納ケース３０の底面には下方に突出する突起部３１が設けられる。図６、図７は収納ケース３０の側面断面図及び底面図を示している。また、図８は図７のＥ−Ｅ断面図を示し、図９、図１０は図６のＣ部及びＤ部の詳細図を示している。
【００２３】
突起部３１は収納ケース３０の前後及び左右に分散して設けられ、左右方向に延びる断面コ字型の環状に形成される。前方の突起部３１の背面には後方が上がる傾斜面３２ａを有するリブ３２が設けられる。突起部３１によって収納ケース３０と載置棚１１との接触面積を削減して摺動摩擦を小さくし、収納ケース３０を容易に出し入れすることができる。
【００２４】
また、突起部３１を左右に延びて形成することにより、突起部３１の設置される範囲を広くして収納ケース３０を安定させることができる。更に、突起部３１が断面コ字状で前後に所定距離離れて突出するため、突起部３１の設置される範囲をより広くすることができる。
【００２５】
また、図４において、収納ケース３０を引き出す際に突起部３１が載置棚１１の段差部１５に当接する。更に収納ケース３０を引き出すと突起部３１が段差部１５を乗り上げて外枠１３上を摺動する。このため、収納ケース３０の前部に手指等が引っ掛かった際に突起部３１が段差部１５に当接して収納ケース３０の落下を防止することができる。
【００２６】
収納ケース３０を挿入する際には後方の突起部３１がガラス板１２上を摺動して収納ケース３０が後方に移動し、リブ３２が載置棚１１の前端と当接する。そして、傾斜面３２ａ、１４ａが互いに摺動して突起部３１が載置棚１１上に乗り上げる。従って、傾斜面３２ａ、１４ａによって円滑に収納ケース３０を挿入することができる。
【００２７】
図１１は収納ケース３０を下段の載置棚２１上に配置した状態を示す側面断面図である。中段の載置棚１１の位置を可変して中段の載置棚１１と下段の載置棚２１との間隔を収納ケース３０の前面の高さと略一致させることができる。これにより、上記と同様に、載置棚１１、２１間に流入する冷気を減少させ、収納ケース３０内の貯蔵物を間接冷却することができる。従って、冷気が当たることによる貯蔵物の劣化を抑制することができる。
【００２８】
図１２は図１１の要部詳細図を示し、図１３は載置棚２１の平面図を示している。載置棚２１は樹脂成形品から成り、上板２２と下板２３とをネジ（不図示）により一体化して形成される。上板２２の中央部２２ａは周囲よりも低く形成され、中央部２２ａの周りにに環状の段差部２４が形成される。尚、段差部２４は中央部２２ａに向かって下がる傾斜面になっている。
【００２９】
また、中央部２２ａ内には前後に延びる複数の凸部２５が左右方向に並設される。凸部２５の高さ及び幅は数百μｍ程度に形成され、収納ケース３０の突起部３１の横幅Ｄ１（図７参照）が凸部２５の間隔Ｄ２よりも広くなっている。これにより、突起部３１が凸部２５上に確実に設置される。凸部２５によって収納ケース３０と載置棚１１との接触面積を更に削減して摺動摩擦を小さくし、収納ケース３０を容易に出し入れすることができる。
【００３０】
収納ケース３０を引き出す際には、突起部３１が載置棚１２の段差部２４に当接する。更に収納ケース３０を引き出すと突起部３１が段差部２４を乗り上げて外枠１３上を摺動する。このため、収納ケース３０の前部に手指等が引っ掛かった際に突起部３１が段差部２４に当接して収納ケース３０の落下を防止することができる。尚、段差部２４は傾斜面に形成されるため、収納ケース３０を引き出す際に突起部３１が摺動して円滑に引き出すことができる。
【００３１】
本実施形態によると、収納ケース３０の底面から下方に突出する突起部３１を前後にそれぞれ設け、収納ケース３０の引き出す際に前方に配された突起部３１に当接する段差部１５、２４を載置棚１１、２１の前部に設けたので、収納ケース３０の底面と載置棚１１、２１との摺動摩擦を小さくして収納ケース３０の出し入れを容易にすることができる。また、収納ケース３０の前部に手指等が引っ掛かった際に突起部３１が段差部１５、２４に当接して収納ケース３０の落下が防止される。従って、冷蔵庫１の利便性を向上することができる。加えて、突起部３１を左右に延びて形成することにより、突起部３１の設置される範囲を広くして収納ケース３０を安定させることができる。
【００３２】
また、載置棚１１がガラス板１２の周囲に樹脂製の外枠１３を配して形成されるので、載置棚１１の強度を向上できるとともに段差部１５を容易に形成することができる。
【００３３】
また、樹脂製の載置棚２１の上面に上方に突出して前後に延びる複数の凸部２５を左右方向に所定の間隔で設け、突起部３１の横幅Ｄ１を凸部２５の間隔Ｄ２よりも広くしたので、突起部３１を確実に凸部２５上に配置し、収納ケース３０の底面と載置棚２１との摺動摩擦をより小さくすることができる。
【００３４】
また、突起部３１の背面のリブ３２及び載置棚１１の前端に傾斜面３２ａ、１４ａを設けたので、収納ケース３０を円滑に載置棚１１上に挿入することができる。尚、傾斜面３２ａ、１４ａのいずれか一方のみを設けてもよい。また、傾斜面３２ａ、１４ａは平面であってもよく、曲面であってもよい。
【００３５】
また、収納ケース３０の背面に緩衝材を設けたので、収納ケース３０を背面板４との衝突による背面板４の損傷を防止することができる。
【００３６】
また、載置棚１１、２１の上下の間隔を収納ケース３０の高さに略一致させることができるので、載置棚１１、２１間に流入する冷気を減少させ、収納ケース３０内の貯蔵物を間接冷却することができる。従って、冷気が当たることによる貯蔵物の劣化を抑制することができる。
【００３７】
また、収納ケース３０の前面が上方に延びる延設部３３が載置棚１１を設置する設置部１０に当接して収納ケース３０の後端位置が位置決めされるので、別途ストッパを設ける必要がなく、部品点数を削減することができる。
【００３８】
また、下段の載置棚２１の段差部２４が傾斜面から成るので、収納ケース３０は自重により段差部２４に沿って収納位置に戻される。このため、収納ケース３０の前面と上方の載置棚１１との隙間を小さくしておくことにより、食品の保鮮効果が高い状態の設置状態に意識せず自動的に設置することができる。尚、載置棚１１の段差部１５を傾斜面に形成してもよく、突起部３１の前面に段差部１５、２４と摺動する傾斜面を設けてもよい。
【産業上の利用可能性】
【００３９】
本発明によると、貯蔵室内に設けた載置棚上に配される収納ケースを有した冷蔵庫に利用することができる。
【符号の説明】
【００４０】
１    冷蔵庫
２    貯蔵室
３    隔離室
４    背面板
１０    設置部
１１、２１  載置棚
１２    ガラス板
１３    外枠
１４    カバー
１４ａ、３２ａ  傾斜面
１５、２４  段差部
２２    上板
２３    下板
２５    凸部
３０    収納ケース
３１    突起部
３２、３４  リブ
３３    延設部
３５    緩衝材
【図１】
2010223441.tif 000003
【図２】
2010223441.tif 000004
【図３】
2010223441.tif 000005
【図４】
2010223441.tif 000006
【図５】
2010223441.tif 000007
【図６】
2010223441.tif 000008
【図７】
2010223441.tif 000009
【図８】
2010223441.tif 000010
【図９】
2010223441.tif 000011
【図１０】
2010223441.tif 000012
【図１１】
2010223441.tif 000013
【図１２】
2010223441.tif 000014
【図１３】
2010223441.tif 000015